(57)【要約】本発明のパッケージは、互いに重なり合うアウタケース（２）及びインナケース（３）の前壁（１０，２０）を含み、開閉するシガレットボックス（１）であって、アウタケース（２）に対しインナケース（３）が閉位置から開位置に摺動することで各前壁（１０，２０）の間の重なり度合いが減少し、この結果、開放される取出口（２５）を更に含むシガレットボックス（１）と、アウタケース（２）の前壁（１０）に設けられ、Ｓ極（１９ａ）及びＮ極（１９ｂ）を含んだ配列パターンを有するアウタ側磁極群（１９）と、インナケース（３）の前壁（２０）に設けられ、閉位置でアウタ側磁極群（１９）の配列パターンに対してＳ極（２６ａ）及びＮ極（２６ｂ）の位置が逆転した配列パターンを有するインナ側磁極群（２６）と、を備える。
2016103380.tif 000002
【特許請求の範囲】
【請求項１】
互いに重なり合う固定壁及び可動壁を含み、開閉する箱であって、前記可動壁が前記固定壁に対し閉位置から開位置に摺動することで前記固定壁と前記可動壁との間の重なり度合いが減少し、この結果、開放される開口部を更に含む、箱と、
前記固定壁に設けられ、Ｓ極及びＮ極を含んだ配列パターンを有する固定側磁極群と、
前記可動壁に設けられ、前記閉位置で前記可動側磁極群の配列パターンに対してＳ極及びＮ極の位置が逆転した配列パターンを有する可動側磁極群と、
を備え、
前記固定側磁極群及び前記可動側磁極群は、
前記可動壁が前記固定壁に対し閉位置にあるときには、前記可動壁を閉位置に保持する閉鎖引力を発生させ、
前記可動壁が前記固定壁に対して前記閉位置と前記開位置との間の過渡位置にあるときには、前記重なり度合いに応じて前記固定側磁極群及び前記可動側磁極群のうちの同一極性の磁極同士が部分的に重なることで前記閉鎖引力よりも弱い過渡引力を発生させるパッケージ。
【請求項２】
前記箱は、
前記固定壁としての外側壁を有する外箱と、
前記外箱内に引出し可能に収容され、前記開口部を有する内箱であって、前記外側壁に重なり合う内側壁を前記可動壁として有し、前記内箱が前記外箱に収容されたとき、前記内側壁が前記閉位置に位置付けられる一方、前記外箱から引き出されたとき、前記内側壁が前記開位置に位置付けられる内箱と、
を含む請求項１に記載のパッケージ。
【請求項３】
前記箱は、前記外箱及び前記内箱の底を互いに連結するヒンジを更に含み、
前記ヒンジは、前記外箱から前記内箱を引き出すべく前記内箱の回動を許容する、請求項２に記載のパッケージ。
【請求項４】
前記固定側磁極群及び前記可動側磁極群の配列パターンは、複数のストリップである前記S極及びN極が交互に並んでいる、請求項３に記載のパッケージ。
【請求項５】
前記内箱は前記箱の幅方向にスライドして前記外箱から引き出される、請求項２に記載のパッケージ。
【請求項６】
前記固定側磁極群及び前記可動側磁極群の配列パターンは、前記箱の幅方向に延びた複数の曲線状のストリップである前記S極及びN極をそれぞれ含み、これらストリップは前記箱の幅方向に対して交差する前記箱の長手方向に沿って並んでいる、請求項５に記載のパッケージ。
【請求項７】
前記固定側磁極群及び前記可動側磁極群の配列パターンは、前記箱の幅方向に対し交差する前記箱の長手方向に延びた複数のストリップである前記S極及びN極をそれぞれ含み、これらスリップは前記箱の幅方向に沿って並んでいる、請求項５に記載のパッケージ。
【請求項８】
前記箱は、箱本体と、前記閉位置では露出せず且つ前記開位置で露出する前記開口部を形成するインナフレームと、前記箱にヒンジを介して連結され、前記閉位置では前記インナフレームの前記開口部を含みつつ覆い、前記開位置では前記開口部を開放するリッドと、を含み、
前記固定壁は、前記インナフレームを形成する壁であり、
前記可動壁は、前記インナフレームの前記固定壁と摺接する前記リッドの壁である、請求項１に記載のパッケージ。
【請求項９】
前記内側壁の開位置にて、前記外箱及び前記内箱を磁気的に結合するストッパを更に含む、請求項２記載のパッケージ。
【発明の詳細な説明】
【技術分野】
【０００１】
本発明は、パッケージに関する。
【背景技術】
【０００２】
品物を収容するパッケージとしては、品物の性質を考慮し、種々のものが開発されている。品物が、例えば、フィルタシガレットやシガレット等のたばこ商品である場合、そのパッケージとしては、シガレットボックスが知られている。シガレットボックスには、いわゆるヒンジリッド型パッケージ、タングリッド型パッケージの他、外箱に収納された内箱をセルフヒンジ回りにスイングさせたり、縦方向又は横方向にスライドさせたりして引き出すタイプのパッケージ等がある。【０００３】
ここで、パッケージの１つの形態として、例えば、特許文献１に示されるパッケージが提案されている。当該特許文献１のパッケージは、リッドと箱本体とを含むヒンジリッド型パッケージであって、箱本体はインナフレームと協働して開口部を形成し、当該開口部がリッドにより開閉される。更に、このパッケージには、リッドの前壁の下部裏面及びインナフレームの前壁表面にマグネットが設けられており、リッドを閉じたときにはこれら一対のマグネットが当接してリッドの閉鎖引力を発生させる。このように特許文献１ではマグネットの閉鎖引力を利用して、リッドによる閉鎖を保持している。
【先行技術文献】
【特許文献】
【０００４】
【特許文献１】国際公開第2014/096427号
【発明の概要】
【発明が解決しようとする課題】
【０００５】
しかしながら、特許文献１のように一対のマグネットにより十分な閉鎖引力を得るには、マグネットが占める面積を十分に確保する必要がある。一方で、例えばスライド式のパッケージにおいて内箱及び外箱の摺接面にマグネットをそれぞれ設けた場合、これらマグネットが重なりあっている間は閉鎖引力が作用し続けるため、円滑に内箱の開閉動作を行うことができないという問題が生じる。【０００６】
本発明の目的は、箱の閉鎖を十分に維持できる一方で、リッドや内箱を円滑に開閉することのできるパッケージを提供することにある。
【課題を解決するための手段】
【０００７】
前述の目的は本発明のパッケージによって達成され、該パッケージは、
互いに重なり合う固定壁及び可動壁を含み、開閉する箱であって、前記可動壁が前記固定壁に対し閉位置から開位置に摺動することで前記固定壁と前記可動壁との間の重なり度合いが減少し、この結果、開放される開口部を更に含む、箱と、
前記固定壁に設けられ、Ｓ極及びＮ極を含んだ配列パターンを有する固定側磁極群と、
前記可動壁に設けられ、前記閉位置で前記可動側磁極群の配列パターンに対してＳ極及びＮ極の位置が逆転した配列パターンを有する可動側磁極群と、
を備え、
前記固定側磁極群及び前記可動側磁極群は、
前記可動壁が前記固定壁に対し閉位置にあるときには、前記可動壁を閉位置に保持する閉鎖引力を発生させ、
前記可動壁が前記固定壁に対して前記閉位置と前記開位置との間の過渡位置にあるときには、前記重なり度合いに応じて前記固定側磁極群及び前記可動側磁極群のうちの同一極性の磁極同士が部分的に重なることで前記閉鎖引力よりも弱い過渡引力を発生させる。【０００８】
前述のパッケージによれば、固定壁に対し可動壁が閉位置にあるときには、固定側磁極群と可動側磁極群のS極及びN極の配列パターンは互いに逆転した関係にあることで、異なる極性の磁極同士が重なり合うこととなる。このため固定側磁極群と可動側磁極群とは全域に亘って磁力により引きつけ合い、この引力は可動壁を固定壁に保持する閉鎖引力となり、箱の閉状態を十分に維持できる。【０００９】
一方、固定壁に対し可動壁が過渡位置にあるときには、固定壁と可動壁との重なり度合いに応じて、固定側磁極群及び可動側磁極群のうちの同一極性の磁極同士が部分的に重なることで閉鎖引力よりも弱い過渡引力となる。このため、容易に箱の開閉を行うことができる。
【発明の効果】
【００１０】
本発明のパッケージによれば、箱の閉鎖を十分に維持できるとともに、円滑な開閉を行うことができる。
【図面の簡単な説明】
【００１１】
【図１】第１実施例のシガレットボックスを示した斜視図である。
【図２】図１のシガレットボックスが閉状態であるときの前面図である。
【図３】図１のシガレットボックスが開状態であるときの前面図である。
【図４】図１のインナケースを成形するためのインナブランクを示す図である。
【図５】図１のアウタケースを成形するためのアウタブランクを示す図である。
【図６】比較例としてのシガレットボックスの前面図である。
【図７】比較例におけるシガレットボックスの開度と引力との関係図である。
【図８】第１実施例におけるシガレットボックスの開度と引力との関係図である。
【図９】第２実施例のシガレットボックスが開状態であるときの前面図である。
【図１０】第３実施例のシガレットボックスが開状態であるときの前面図である。
【図１１】図１０のアウタケースの開度に応じたアウタ側磁極群及びインナ側磁極群の位置関係を説明する図である。
【図１２】第４実施例のシガレットボックスの斜視図である。
【図１３】第１変形例のシガレットボックスの前面図である。
【図１４】第２変形例のシガレットボックスの前面図である。
【発明を実施するための形態】
【００１２】
図１から図３には第１実施例のパッケージとしてのシガレットボックス１の斜視図及び前面図が示されており、これらの図に基づき第１実施例のシガレットボックス１について説明する。
【００１３】
第１実施例のシガレットボックス１は二重構造をなし、アウタケース２（外箱）及びインナケース３（内箱）を含んでいる。アウタケース２は直方体形状をなし、前壁１０、背壁１１、上壁１２及び底壁１３を有する。更に、アウタケース２は一方の側面にて全面開口され、インナケース３を引き出し可能な引出口１４を形成し、アウタケース２の他方の側面は側壁１５を形成している。
【００１４】
側壁１５はその上部にプッシュ窓１６を有し、このプッシュ窓１６はインナケース３を部分的に露出させている。プッシュ窓１６は任意の形状を有することができる。この実施例の場合、プッシュ窓１６の上端は上壁１２に向けて突出した三角形状をなし、全体としてプッシュ窓１６は五角形形状をなしている。
【００１５】
図１に示されるようにアウタケース２の底壁１３はそのほぼ中央にセルフヒンジ１７を有する。このセルフヒンジ１７は底壁１３を横断して延び、底壁１３はセルフヒンジ１７により引出口１４側に位置付けられた可動ベース１３ａと、側壁１５側に位置付けられた固定残部１３ｂとに区分されている。可動ベース１３ａは、アウタケース２の前壁１０及び背壁１１の何れとも接続されておらず、セルフヒンジ１７を中心とした回動が許容されている。
【００１６】
また、アウタケース２の前壁１０（固定壁、外側壁）の内面には側壁１５側の領域にアウタ側磁極群１８（固定側磁極群）が設けられている。このアウタ側磁極群１８は、Ｓ極１８ａ及びＮ極１８ｂを含んだ配列パターンを有する。詳しくは、アウタ側磁極群１８のＳ極１８ａ及びＮ極１８ｂは、前壁１０の長手方向に沿って直線状に延びたストリップをなしている。これらストリップは前壁１０の幅方向に沿い互いに異なる磁極が交互に並ぶよう配置され、アウタ側磁極群１８の配列パターンを形成している。この実施例の場合、アウタ側磁極群１８の配列パターンは、最も側壁１５側のストリップをＳ極１８ａとして、８本のストリップを有する。
【００１７】
一方、インナケース３はアウタケース２と同様な直方体形状をなし、アウタケース２内に収容可能な大きさを有する。即ち、インナケース３もまた、前壁２０、背壁、上壁２１、及び底壁２２を有し、これらの壁はアウタケース２の前壁１０、背壁１１、上壁１２、及び底壁１３にそれぞれ重なり合う。更に、インナケース３は両側壁２３，２４を有しており、図２に示すように、アウタケース２内にインナケース３が完全に収容された閉位置にあるときには、一方のアウタ側壁２３がアウタケース２の引出口１４を閉塞し、他方のインナ側壁２４はアウタケース２の側壁１５に重なり合う。このとき、インナ側壁２４の一部は、アウタケース２の側壁１５のプッシュ窓１６を通じて露出する。
【００１８】
図３に示すように、インナケース３の底壁２２はアウタケース２に対し、アウタケース２の可動ベース１３ａのみに接着されている。それ故、インナケース３は、可動ベース１３ａとともにセルフヒンジ１７を中心として回動可能である。この結果、ユーザがアウタケース２のプッシュ窓１６を通じてインナケース３のインナ側壁２４を押したとき、インナケース３は可動ベース１３ａとともにセルフヒンジ１７の回りに回動し、インナケース３の一部、即ち、インナケース３のアウタ側壁２３側の部分がアウタケース２の引出口１４から側方に飛び出す。
【００１９】
また、インナケースの前壁２０（可動壁、内側壁）の外面にはインナ側壁２４側の領域にインナ側磁極群２６（可動側磁極群）が設けられている。このインナ側磁極群２６は、Ｓ極２６ａ及びＮ極２６ｂを含んだ配列パターンを有する。詳しくは、図２に示すようにインナケース３が閉位置にあるとき、インナ側磁極群２６は、アウタケース２のアウタ側磁極群１８の配列パターンのＳ極１８ａ及びＮ極１８ｂに対して、Ｓ極２６ａ及びＮ極２６ｂの並びが逆転した配列パターンを有している。つまり、インナ側磁極群２６のＳ極２６ａ及びＮ極２６ｂもまた前壁２０の長手方向に沿って直線状に延びたストリップをなし、これらのストリップが前壁２０の幅方向に沿い異なる磁極が交互に並ぶよう配置されている。そして、インナ側磁極群２６の配列パターンは、最もインナ側壁２４側のストリップをＮ極２６ｂとして、８本のストリップを有する。
【００２０】
また、インナケース３はその内部にインナパック（図１から図３には図示せず）を収容しており、このインナパックはフィルタシガレットやシガレットの喫煙物品の束と、この束を包み込む包材とを含む。
【００２１】
更に、インナケース３の上壁２１はアウタ側壁２３側の領域にて開口され、そして、インナケース３の前壁２０及び背壁はそれらの上縁にアクセスノッチを有する。これらアクセスノッチはインナケース３のアウタ側壁２３側に位置付けられ、対応する壁の上縁からインナケース３の底壁２２に向けて延びる略Ｕ字形状をなしている。このようなアクセスノッチはインナケース３の上壁２１に形成された引出口１４ととともに、インナケース３においての品物の取出口２５（開口部）を形成する。
【００２２】
次に図４にはインナケース３を成形するためのインナブランク３０の表面を示す図が、図５にはアウタケース２を成形するためのアウタブランク４０の裏面を示す図がそれぞれ示されており、以下これらの図に基づき、インナケース３及びアウタケース２のブランクについて説明する。
【００２３】
まず図４に示すように、インナブランク３０は複数のパネル及びフラップを含む。隣接するパネル同士やフラップ同士、又は、隣接するパネル及びフラップは破線の折込み線により互いに区画されている。
【００２４】
詳しくは、インナブランク３０はその縦軸線上に並ぶフロントパネル３１、ボトムパネル３２及びリアパネル３３を有する。ボトムパネル３２の両側縁にはインナボトムフラップ３４がそれぞれ接続されている。これらパネル３１，３２，３３はインナケース３の前壁２０、底壁２２、及び背壁をそれぞれ形成するための部分であり、インナボトムフラップ３４は底壁２２の補強部材を形成する。
【００２５】
フロントパネル３１の両側縁にはアウタサイドフラップ３５ａ，３５ｂがそれぞれ接続されており、リアパネル３３の両側縁にはインナサイドフラップ３６ａ，３６ｂがそれぞれ接続されている。一側のアウタ及びインナサイドフラップ３５ａ，３６ａはインナケース３のアウタ側壁２３を形成するための部分であり、他側のインナ及びアウタサイドフラップ４６ｂ，４８ｂはインナケース３のインナ側壁２４を形成するための部分である。
【００２６】
図４でみてフロントパネル３１の上縁の左半分及びリアパネル３３の下縁の左半分には略Ｕ字形のアクセスノッチ３７がそれぞれ形成されている。そして、フロントパネル３１の上縁及び下縁の残部にはアウタトップフラップ３８及びインナトップフラップ３９がそれぞれ接続されている。これらアウタトップフラップ３８及びインナトップフラップ３９はインナケース３の上壁２１を形成するための部分であり、この上壁２１とアウタ側壁２３との間に前述した取出口２５が確保され、この取出口２５はアクセスノッチ３７を含む。
【００２７】
また、フロントパネル３１にはインナサイドフラップ３５ｂ側の部分、即ち図４でみてフロントパネル３１の右側部分にインナ側磁極群２６が設けられている。インナ側磁極群２６は予め前述したＳ極２６ａ及びＮ極２６ｂの配列パターンで磁化させた磁性体を用いてもよいが、好ましくはフロントパネル３１の当該部分に磁化可能な磁性材料が予め塗布され、この後、着磁ローラー等の着磁装置を用いて、前述したＳ極２６ａ及びＮ極２６ｂの配列パターンを形成することによって得られる。その際、等方性磁石となる磁性体を用いることで、着磁の際の磁化方向に自由度を持たせることができ、包装工程中の着磁を容易にする。このＳ極２６ａ及びＮ極２６ｂの配列パターンのそれぞれのストリップの幅は0.1mm〜5mmの範囲とし、好ましくは0.4mm〜0.6mmとする。このような範囲とすることで開閉動作に好ましい閉鎖引力を発生させることができる。
【００２８】
そして、前述したブランク３０の裏面には所定箇所に糊が塗布され、ブランク３０のフロントパネル３１の裏側にインナパックＩＰが置かれる。この後、ブランク３０、即ち、そのフラップ及びパネルはインナパックＩＰの回りに順次折り込まれ、図１〜３で示したインナケース３が成形される。なお、インナケース３のアウタ側壁２３及びインナ側壁２４を形成するサイドフラップ３５ａ，３５ｂ，３６ａ，３６ｂは互いに重ね合わされた状態で接着され、また、フロントパネル３１及びリアパネル３３はインナパックＩＰに接着される。
【００２９】
続いて図５に示すように、アウタブランク４０もまた複数のパネル及びフラップを含み、隣接するパネル同士やフラップ同士、又は、隣接するパネル及びフラップは破線の折込み線により互いに区画されている。
【００３０】
詳しくは、アウタブランク４０はその縦軸線上の中央にサイドパネル４１を含む。このサイドパネル４１はアウタケース２の側壁１５を形成するための部分であり、図５でみてその上部に前述したプッシュ窓１６を有する。
【００３１】
サイドパネル４１の両側縁にはフロントパネル４２及びリアパネル４３がそれぞれ接続されており、これらパネル４２，４３はアウタケース２の前壁１０及び背壁１１をそれぞれ形成するための部分である。サイドパネル４１の上縁及び下縁にはインナトップフラップ４４及びインナボトムフラップ４５がそれぞれ接続されている。インナトップフラップ４４は、アウタケース２の上壁１２の補強部材を形成し、インナボトムフラップ４５はアウタケース２の底壁１３の補強部材を形成する。
【００３２】
フロントパネル４２及びリアパネル４３の他方の側縁には折込みフラップ４６がそれぞれ接続されており、これら折込みフラップ４６はアウタケース２における前壁１０及び背壁１１のライナを形成するための部分である。
【００３３】
リアパネル４３の下縁の一部にはアウタボトムフラップ４７が接続されており、このアウタボトムフラップ４７は前述したインナボトムフラップ４５に隣接して位置付けられている。アウタボトムフラップ４７の側縁にセルフヒンジ１７を介して延長フラップ４８が接続されており、この延長フラップ４８はリアパネル４３における下縁の残部に沿って延びている。延長フラップ４８は、アウタケース２における底壁１３の一部である可動ベース１３ａを形成するための部分であり、アウタボトムフラップ４７はアウタケース２の底壁１３の固定残部１３ｂを形成するための部分である。
【００３４】
また、フロントパネル４２の下縁にはその一部に中間ボトムフラップ４９が接続されている。この中間ボトムフラップ４９はインナボトムフラップ４５に隣接して位置付けられ、それ故、このインナボトムフラップ４５は、アウタボトムフラップ４７と中間ボトムフラップ４９との間に挟み込まれるように配置されている。これら各ボトムフラップ４５，４７，４９はほぼ同一の形状及び大きさを有する。
【００３５】
更に、リアパネル４３の上縁にはインナトップパネル５０が接続されており、フロントパネル４２の上縁にはアウタトップパネル５１が接続されている。
【００３６】
また、フロントパネル４２にはサイドパネル４１側の部分、即ち図５でみてフロントパネル４２の左側部分にアウタ側磁極群１８が設けられている。アウタ側磁極群１８は、フロントパネル４２の当該部分に磁化可能な磁性材料が予め塗布され、この後、着磁ローラー等の着磁装置を用いて、前述したＳ極１８ａ及びＮ極１８ｂの配列パターンを形成することによって得られる。アウタ側磁極群１８は予め前述したＳ極１８ａ及びＮ極１８ｂの配列パターンで磁化させた磁性体を用いてもよいが、好ましくはフロントパネル４２の当該部分に磁化可能な磁性材料が予め塗布され、この後、着磁ローラー等の着磁装置を用いて、前述したＳ極１８ａ及びＮ極１８ｂの配列パターンを形成することによって得られる。その際、等方性磁石となる磁性体を用いることで、着磁の際の磁化方向に自由度を持たせることができ、包装工程中の着磁を容易にする。このＳ極１８ａ及びＮ極１８ｂの配列パターンのそれぞれのストリップの幅は0.1mm〜5mmの範囲とし、好ましくは0.4mm〜0.6mmとする。このような範囲とすることで開閉動作に好ましい閉鎖引力を発生させることができる。
【００３７】
そして、前述したアウタブランク４０の裏面には所定箇所に糊が塗布され、その後、アウタブランク４０は、所定の折込み手順により折り込まれ、インナケース３を収容するアウタケース２が成形される。
【００３８】
前述したように第１実施例のシガレットボックス１の場合、アウタケース２に対してインナケース３がセルフヒンジ１７を中心に回動することにより、即ち、インナケース３のサイドスイングにより、シガレットボックス１は開閉される。
【００３９】
前述のシガレットボックス１によれば、図２に示されているように、インナケース３がアウタケース２内に収納された閉位置にあるとき、インナケース３の取出口２５はアウタケース２の内側に位置付けられ、これにより、シガレットボックス１は閉状態となる。このとき、アウタ側磁極群１８とインナ側磁極群２６とは互いに外形が一致するように完全に重なり合う。この場合、それぞれの磁極群１８、２６におけるS極１８ａ、２６ａ及びN極１８ｂ、２６ｂの配列パターンは逆転した並びであることから、異なる極性の磁極同士が重なり合うこととなる。このためアウタ側磁極群１８とインナ側磁極群２６とは全域に亘って磁力により引きつけ合い、この引力はインナケース３をアウタケース２内に保持する閉鎖引力となる。
【００４０】
一方、図３に示されているように、アウタケース２からインナケース３が飛び出した開位置にあるとき、インナケース３の取出口２５はアウタケース２の外側に位置付けられ、これにより、シガレットボックス１が開かれた開状態となる。シガレットボックス１が開状態にあるとき、ユーザは取出口２５を通じてインナパックから喫煙物品を取り出し、取り出した喫煙物品を喫煙することができる。
【００４１】
このとき、アウタ側磁極群１８とインナ側磁極群２６とは、インナケース３の回動により互いに交差した位置関係となり、これら磁極群１８，２６の重なり度合いは変化する。詳しくは、アウタケース２に対してインナケース３の開度が大きくなり、アウタケース２の前壁１０とインナケース３の前壁２０との間の重なり度合いが減少するのに伴って、アウタ側磁極群１８とインナ側磁極群２６との重なり度合いもまた減少する。一方、アウタ側磁極群１８とインナ側磁極群２６とが重なり合っている領域は、異なる極性の磁極同士が重なり合って引力を生じる部分と、同一極性の磁極同士が重なり合って斥力を生じる部分とを有する。これにより、アウタ側磁極群１８とインナ側磁極群２６との間にて、引力は斥力により相殺されるので、インナケース３がアウタケース２に対して閉位置と開位置との間の過渡位置にあるときには、アウタ側磁極群１８とインナ側磁極群２６とは互いに協働して、閉鎖引力よりも弱い過渡引力を発生させる。なお、この過渡位置には、インナケース３がアウタケース２内に完全に収容される閉位置（全閉）は含まず、インナケース３を限界まで引き出した開位置（全開）は含まれる。
【００４２】
図３に示されたシガレットボックス１の開状態から、インナケース３がユーザによりアウタケース２内に押し込まれインナケース３が開位置から閉位置への移行中、完全に閉位置になるまでは、前述の弱い過渡引力のままである。そして、閉位置となってアウタ側磁極群１８及びインナ側磁極群２６の全体が一致すると急激に閉鎖引力が生じ、シガレットボックス１の閉状態が保持される。
【００４３】
ここで、シガレットボックスの開度と引力との関係についてより詳しく説明する。
【００４４】
まず、図６には比較例としてのシガレットボックス１’が示されており、図７には比較例における開度と引力との関係図が示されている。
【００４５】
図６に示すように、比較例に係るシガレットボックス１’は、アウタケース２’に対しインナケース３’が幅方向にスライドして開閉される。そして、アウタケース２’の前壁１０’にはその内面の下部にアウタ側磁極群１８’が設けられ、インナケース３’の前壁２０’の外面の下部にはインナ側磁極群２６’が設けられている。当該アウタ側磁極群１８’及びインナ側磁極群２６’は、シガレットボックス１’の幅方向に直線状に延びるＳ極１８ａ’，２６ａ’及びN極１８ｂ’，２６ｂ’を４個ずつ含み、これら磁極は互いに異なる磁極がシガレットボックス１’の長手方向に交互に並ぶ配列パターンを形成している。詳しくは、アウタ側磁極群１８’の配列パターンの場合、底壁１３’から上壁１２’に向けてＳ極１８ａ’、Ｎ極１８ｂ’が交互に４個隣接して並んでいる。一方、インナ側磁極群２６’の配列パターンは、アウタ側磁極群１８’の配列パターンとＳ極２６ａ’及びＮ極２６ｂ’の並びが逆転し、底壁２２’から上壁２１’に向けてＮ極２６ｂ’、Ｓ極２６ａ’が交互に４個ずつ隣接して並んでいる。
【００４６】
このような比較例に係るシガレットボックス１’においてアウタケース２’からインナケース３’が引き出されると、アウタケース２’の前壁１０’とインナケース３’の前壁２０’との間の重なり度合いが減少するのに伴って、アウタ側磁極群１８’とインナ側磁極群２６’との重なり度合いは減少する。しかしながら、アウタ側磁極群１８’とインナ側磁極群２６’とが重なり合っている領域では、全て異なる極性の磁極同士が重なり合って引力を生じている。従って、図７に示すように比較例に係るシガレットボックス１’はインナケース３’の引き出し量、即ち開度に比例してアウタ側磁極群１８’とインナ側磁極群２６’との間の引力が増減する。
【００４７】
一方、図８に示すように、第１実施例に係るシガレットボックス１の場合、全開から全閉までの過渡位置にて、アウタ側磁極群１８及びインナ側磁極群２６が交差しつつ重なり度合いが増減することから、アウタ側磁極群１８及びインナ側磁極群２６との間の過渡引力は０とはならないまでも、全閉直前までほとんど増加しない。一方で、全閉となったときに急激に引力が増加して、１００％の引力からなる閉鎖引力が生じる。
【００４８】
このようにして第１実施例に係るシガレットボックス１は、インナケース３がアウタケース２内に完全に収納された全閉時にて、前述の閉鎖引力により閉状態を十分に維持できる。一方で、プッシュ窓１６を介してインナケース３を押し出す等して、インナケース３をアウタケース２内から少しでも引き出せば、アウタ側磁極群１８及びインナ側磁極群２６との間の引力は閉鎖引力より大きく低減された過渡引力となることから、円滑にインナケース３の引き出し及び押し込みを行うことができ、容易にシガレットボックス１の開閉を行うことができる。
【００４９】
次に図９には第２実施例に係るパッケージとしてのシガレットボックス６１の正面図が示されており、同図に基づき第２実施例について説明する。
【００５０】
図９に示すように、第２実施例のシガレットボックス６１は、二重構造をなし、アウタケース６２（外箱）及びインナケース６３（内箱）を含んでいる。そして、このシガレットボックス６１は、アウタケース６２に対してインナケース６３が幅方向にスライドすることで開閉する。このシガレットボックス６１は、アウタケース６２の前壁７０（固定壁、外側壁）、背壁、上壁７２、引出口７４、側壁７５、及びプッシュ窓、並びにインナケース６３の前壁８０（可動壁、内側壁）、背壁、上壁８１、アウタ側壁８３、インナ側壁８４、及び取出口８５が、第１実施例のシガレットボックス１と同じであり、詳しい説明は省略する。
【００５１】
一方で、第２実施例のシガレットボックス６１は、アウタケース６２及びインナケース６３のそれぞれの底壁７３，８２が第１実施例の底壁１３，２２と異なっている。第２実施例におけるアウタケース６２の底壁７３及びインナケース６３の底壁８２は、いずれも平坦な一つの面であり、互いに摺動可能に接している。
【００５２】
また、アウタケース６２の前壁７０の内面には下部領域にアウタ側磁極群７８（固定側磁極群）が設けられている。一方、インナケース６３の前壁８０の外面には下部領域にインナ側磁極群８６が設けられている。それぞれの磁極群７８，８６は、Ｓ極７８ａ，８６ｂ及びＮ極７８ａ，８６ｂを含んだ配列パターンを有する。これらの配列パターンはＳ極７８ａ，８６ｂ及びＮ極７８ａ，８６ｂが、前壁７０，８０の幅方向に延び下に凸の円弧状のストリップをなしている。これらストリップは、前壁７０，８０の長手方向に沿い互いに異なる磁極が交互に並ぶよう配置され、それぞれの磁極群７８，８６の配列パターンを形成している。そして、インナケース６３が閉位置にあるとき、インナ側磁極群８６は、アウタ側磁極群７８の配列パターンのＳ極７８ａ及びＮ極７８ｂの並びに対して、Ｓ極８６ａ及びＮ極８６ｂの並びが逆転した配列パターンを有している。この実施例の場合、アウタ側磁極群７８の配列パターンは最も底壁７３側のストリップをS極７８ａとし、インナ側磁極群８６の配列パターンは最も底壁８２側のストリップをＮ極８６ｂとしている。そして、各磁極群７８，８６は、それぞれ６本のストリップを有する。なお、各磁極群７８，８６のN極７８ａ，８６ａとS極７８ｂ，８６ｂとの間は僅かな隙間を有している。
【００５３】
前述したように第２実施例のシガレットボックス６１の場合、アウタケース６２に対してインナケース６３が幅方向にスライドすることにより、即ち、インナケース６３のサイドスライドにより、シガレットボックス６１は開閉される。
【００５４】
前述のシガレットボックス６１によれば、インナケース６３がアウタケース６２内に収納された閉位置にあるとき、インナケース６３の取出口８５はアウタケース２の内側に位置付けられ、これにより、シガレットボックス６１は閉状態となる。このとき、アウタ側磁極群７８とインナ側磁極群８６とは、外形が一致するように完全に重なり合う。この場合、それぞれの磁極群７８、８６におけるS極７８ａ、８６ａ及びN極７８ｂ、８６ｂの配列パターンは逆転した並びにあることから、異なる極性の磁極同士が重なり合うこととなる。このためアウタ側磁極群７８とインナ側磁極群８６とは全域に亘って磁力により引きつけ合い、この引力はインナケース６３をアウタケース６２内に保持する閉鎖引力となる。
【００５５】
一方、図９に示されているように、アウタケース６２からインナケース６３が飛び出した開位置にあるとき、インナケース６３の取出口８５はアウタケース２の外側に位置付けられ、これにより、シガレットボックス６１が開かれた開状態となる。シガレットボックス６１が開状態にあるとき、ユーザは取出口８５を通じてインナパックから喫煙物品を取り出し、取り出した喫煙物品を喫煙することができる。
【００５６】
このとき、アウタ側磁極群７８とインナ側磁極群８６とは、Ｓ極７８ａ，８６ａ及びＮ極７８ｂ，８６ｂがそれぞれ円弧状の曲線をなしていることで、交差した位置関係となり、これら磁極群７８，８６の重なり度合いは変化する。詳しくは、アウタケース６２に対してインナケース６３の開度が大きくなり、アウタケース６２の前壁７０とインナケース６３の前壁８０との間の重なり度合いが減少するのに伴って、アウタ側磁極群７８とインナ側磁極群８６との重なり度合いもまた減少する。一方、アウタ側磁極群７８とインナ側磁極群８６とが重なり合っている領域は、異なる極性の磁極同士が重なり合って引力を生じる部分と、同一極性の磁極同士が重なり合って斥力を生じる部分とを有する。これにより、アウタ側磁極群７８とインナ側磁極群８６との間の引力は斥力により相殺されるので、インナケース６３がアウタケース６２に対して閉位置と開位置との間の過渡位置にあるときには、アウタ側磁極群７８とインナ側磁極群８６とは互いに協働して、閉鎖引力よりも弱い過渡引力となる。
【００５７】
図９に示されたシガレットボックス６１の開状態から、インナケース６３がユーザによりアウタケース６２内に押し込まれインナケース６３が開位置から閉位置への移行中、完全に閉位置になるまでは、前述の弱い過渡引力のままである。そして、閉位置となってアウタ側磁極群１８及びインナ側磁極群２６の全体が一致すると急激に閉鎖引力が生じ、シガレットボックス１の閉状態が保持される。
【００５８】
このようにして第２実施例に係るシガレットボックス６１もまた第１実施例と同様に、インナケース６３がアウタケース６２内に完全に収納された全閉時にて、前述の閉鎖引力により閉状態を十分に維持できる。一方で、プッシュ窓を介してインナケース６３を押し出す等して、インナケース６３をアウタケース６２内から少しでも引き出せば、アウタ側磁極群７８及びインナ側磁極群８６との間の引力は閉鎖引力より大きく低減された過渡引力となることから、円滑にインナケース６３の引き出し及び押し込みを行うことができ、容易にシガレットボックス６１の開閉を行うことができる。
【００５９】
次に図１０には第３実施例に係るパッケージとしてのシガレットボックスの正面図が示されており、同図に基づき第３実施例について説明する。
【００６０】
図１０に示すように、第３実施例のシガレットボックス９１は、第２実施例のシガレットボックス６１と同様に、二重構造をなし、アウタケース９２（外箱）及びインナケース９３（内箱）を含んでいる。そして、このシガレットボックス９１は、アウタケース９２に対してインナケース９３が幅方向にスライドすることで開閉する。このシガレットボックス９１は、アウタケース９２の前壁１００（固定壁、外側壁）、背壁、上壁１０２、底壁１０３、引出口１０４、側壁１０５、及びプッシュ窓、並びにインナケース９３の前壁１１０（可動壁、内側壁）、背壁、上壁１１１、底壁１１２、アウタ側壁１１３、インナ側壁１１４、及び取出口１１５が、第２実施例のシガレットボックス６１と同じであり、詳しい説明は省略する。
【００６１】
第３実施例のシガレットボックス９１は、アウタケース９２の前壁１００の内面の下部領域にアウタ側磁極群１０８が設けられ、インナケース９３の前壁１１０の外面の下部領域にインナ側磁極群１１６が設けられている。それぞれの磁極群１０８、１１６は、Ｓ極１０８ａ，１１６ｂ及びＮ極１０８ｂ，１１６ｂを含んだ配列パターンを有する。これらの配列パターンはＳ極１０８ａ，１１６ｂ及びＮ極１０８ｂ，１１６ｂが、前壁１００，１１０の長手方向に沿って延びた直線状のストリップをなしている。これらストリップは、前壁１００，１１０の幅方向に沿って互いに異なる磁極が交互に並ぶよう配置され、それぞれの磁極群１０８、１１６の配列パターンを形成している。そして、インナ側磁極群１１６は、アウタ側磁極群７８の配列パターンのＳ極７８ａ及びＮ極７８ｂの並びに対して、Ｓ極８６ａ及びＮ極８６ｂの並びが逆転した配列パターンを有している。この実施例の場合、アウタ側磁極群１０８の配列パターンは最も側壁１０５側のストリップをＳ極１０８ａとし、インナ側磁極群１１６は最もアウタ側壁１１３側のストリップをＳ極１１６ａとしている。そして、各磁極群１０８、１１６は、それぞれ１２本のストリップを有する。
【００６２】
前述したように第３実施例のシガレットボックス９１の場合、第２実施例のシガレットボックス６１と同様に、アウタケース９２に対してインナケース９３が幅方向にスライドすることにより、即ち、インナケース９３のサイドスライドにより、シガレットボックス９１は開閉される。
【００６３】
前述のシガレットボックス９１によれば、インナケース９３がアウタケース９２内に収納された閉位置にあるとき、インナケース９３の取出口１１５はアウタケース９２の内側に位置付けられ、これにより、シガレットボックス９１は閉状態となる。このとき、アウタ側磁極群１０８とインナ側磁極群１１６とは、外形が一致するように重なり合う。この場合、それぞれの磁極群１０８、１１６におけるS極１０８ａ、１１６ａ及びN極１０８ｂ、１１６ｂの配列パターンは逆転した並びにあることから、異なる極性の磁極同士が重なり合うこととなる。このためアウタ側磁極群７８とインナ側磁極群８６とは全域に亘って磁力により引きつけ合い、この引力はインナケース９３をアウタケース９２内に保持する閉鎖引力となる。
【００６４】
一方、図１０に示されているように、アウタケース９２からインナケース９３が飛び出した開位置にあるとき、インナケース９３の取出口１１５はアウタケース９２の外側に位置付けられ、これにより、シガレットボックス９１が開かれた開状態となる。シガレットボックス９１が開状態にあるとき、ユーザは取出口１１５を通じてインナパックから喫煙物品を取り出し、取り出した喫煙物品を喫煙することができる。
【００６５】
このとき、アウタケース９２に対してインナケース９３の開度が大きくなり、アウタケース９２の前壁１００とインナケース９３の前壁１１０との間の重なり度合いが減少するのに伴って、アウタ側磁極群１０８とインナ側磁極群１１６との重なり度合いもまた減少する。一方、アウタ側磁極群１０８とインナ側磁極群１１６とが重なり合っている領域は、アウタケース９２に対するインナケース９３の開度によって段階的に、異なる極性の磁極同士が重なり合って引力を生じる部分と、同一極性の磁極同士が重なり合って斥力を生じる部分とを有する。
【００６６】
詳しくは、図１１に第３実施例のアウタケース９２の開度に応じたアウタ側磁極群１０８及びインナ側磁極群１１６の位置関係を説明する図が示されている。当該図１１では、下側にアウタ側磁極群１０８、上側にインナ側磁極群１１６を示し、それぞれのＳ極１０８ａ，１１６ａ及びＮ極１０８ｂ、１１６ｂの位置関係を概念的に示している。
【００６７】
図１１の（ａ）状態のように、インナケース９３がアウタケース９２内に完全に収納された全閉時においては、アウタ側磁極群１０８及びインナ側磁極群１１６の全域において異なる極性の磁極同士が重なり合うことで１００％の閉鎖引力を生じる。
【００６８】
そこからインナケース９３がアウタケース９２から僅かに引き出されると、図１１の（ｂ）状態のように、アウタ側磁極群１０８とインナ側磁極群１１６と重なり合っている領域の中で、異なる極性の磁極同士が重なり合って引力を生じる部分と、同一極性の磁極同士が重なり合って斥力を生じる部分とが生じる。これにより、アウタ側磁極群１０８とインナ側磁極群１１６との間の引力は斥力により相殺されるので、アウタ側磁極群１８とインナ側磁極群２６とは互いに協働して、閉鎖引力よりも弱い過渡引力を発生させる。
【００６９】
更にインナケース９３がアウタケース９２から引き出されると、図１１の（ｃ）状態のように、アウタ側磁極群１０８及びインナ側磁極群１１６の重なり合っている領域において、異なる極性の磁極同士が重なり合う。このとき、アウタ側磁極群１０８及びインナ側磁極群１１６の一端に位置する２つのストリップ分は重なり合わないので、（ａ）状態の閉鎖引力よりも弱いが、斥力が生じる部分がないため少なくとも（ｂ）状態よりも強い過渡引力（以下、この過渡引力を保持引力という）を生じる。
【００７０】
このように、第３実施例のシガレットボックス９１では、インナケース９３を２ストリップ分に相当する一定量を引き出す毎に保持引力が生じ、段階的な開閉が可能となる。この保持引力はインナケース９３の引出量が大きくなるほど、アウタ側磁極群１０８及びインナ側磁極群１１６の重なり度合いが減少するため弱くなる。
【００７１】
このようにして第３実施例に係るシガレットボックス９１においても第１、第２実施例と同様に、インナケース９３がアウタケース９２内に完全に収納された全閉時においては閉鎖引力により閉状態を十分に維持できる。一方で、プッシュ窓を介してインナケース９３を押し出す等して、インナケース９３をアウタケース９２内から少しでも引き出せば、アウタ側磁極群１０８及びインナ側磁極群１０６との間の引力は閉鎖引力より低減された過渡引力となり、円滑にインナケース６３の引き出し及び押し込みを行うことができ、一方で保持引力により所定の引き出し量を保持することができる。
【００７２】
次に図１２には第４実施例に係るパッケージとしてのシガレットボックス１２１の斜視図が示されており、同図に基づき第４実施例について説明する。
【００７３】
図１２に示すように、第４実施例のシガレットボックス１２１はヒンジリッド型パッケージである。このシガレットボックス１２１は、上端に開口１２２ａを有した箱本体１２２と、当該箱本体１２２より上方に延び上端にて取出口１２３ａ（開口部）を形成するインナフレーム１２３と、シガレットボックス１２０にヒンジ１２４を介して連結されたリッド１２５とを含んでいる。当該シガレットボックス１２１内にインナパックＩＰが収容される。
【００７４】
詳しくは、リッド１２５は箱本体１２２における開口１２２ａの後縁にヒンジ結合され、図示しない閉位置ではインナフレーム１２３の取出口１２３ａを含みつつ覆い、図１２に示す開位置では取出口１２３ａを開放する。従って、インナフレーム１２３は、リッド１２５が閉位置にあるときには外部に露出することはなく、リッド１２５が開位置にあるときには取出口１２３ａを含み露出する。
【００７５】
箱本体１２２は、前壁１３０、背壁１３１、底壁１３２、及び側壁１３３，１３４を有する。インナフレーム１２３は前壁１４０、側壁１４１，１４２（固定壁）を有する。リッド１２５は、前壁１５０、背壁１５１、上壁１５２、及び側壁１５３，１５４（可動壁）を有する。
【００７６】
また、インナフレーム１２３の一方の側壁１４２の外面には、上部領域にてインナ側磁極群１４３（固定側磁極群）が設けられている。このインナ側磁極群１４３は、Ｓ極１４３ａ及びＮ極１４３ｂを含んだ配列パターンを有する。詳しくは、インナ側磁極群１４３のＳ極１４３ａ及びＮ極１４３ｂは、側壁１４２の奥行方向に沿って直線状に延びたストリップをなし、これらのストリップが側壁１４２の縦方向に沿い異なる磁極が交互に並ぶよう配置されている。この実施例の場合、この実施例の場合、インナ側磁極群１４２の配列パターンは、最も上端側のストリップをＳ極１４３ａとして、４本のストリップを有する。
【００７７】
また、リッド１２５の一方の側壁１５４の内面には、上部領域にてアウタ側磁極群１５５（可動側磁極群）が設けられている。このアウタ側磁極群１５５も、Ｓ極１５５ａ及びＮ極１５５ｂを含んだ配列パターンを有する。詳しくは、リッド１２５が図示しない閉位置にあるとき、アウタ側磁極群１５５は、インナ側磁極群１４３の配列パターンのＳ極１４３ａ及びＮ極１４３ｂに対して、Ｓ極１５５ａ及びＮ極１５５ｂの並びが逆転した配列パターンを有している。つまり、アウタ側磁極群１５５のＳ極１５５ａ及びＮ極１５５ｂもまた側壁１５４の奥行方向に沿って直線状に延びたストリップをなし、これらのストリップが側壁１５４の縦方向に沿い異なる磁極が交互に並ぶよう配置されている。この実施例の場合、アウタ側磁極群１５５の配列パターンは、最も上壁１５２側のストリップをＮ極１４３ｂとして、４本のストリップを有する。
【００７８】
第４実施例のシガレットボックス１２１の場合、箱本体１２２に対してリッド１２５がヒンジ１２４を中心に回動することにより、シガレットボックス１２１は開閉される。
【００７９】
つまり、第４実施例のシガレットボックス１２１は、リッド１２５が閉位置にあるとき、インナフレーム１２３の取出口１２３ａはリッド１２５の内側に位置付けられ、これにより、シガレットボックス１２１は閉状態となる。このとき、インナ側磁極群１４３とアウタ側磁極群１５５とは、外形が一致するように完全に重なり合う。この場合、それぞれの磁極群１４３、１５５におけるS極１４３ａ、１５５ａ及びN極１４３ｂ、１５５ｂの配列パターンは逆転した並びであることから、異なる極性の磁極同士が重なり合うこととなる。このためインナ側磁極群１４３とアウタ側磁極群１５５とは全域に亘って磁力により引きつけ合い、この引力はリッド１２５をインナフレーム１２３に保持する閉鎖引力となる。
【００８０】
一方、図１２に示されているように、リッド１２５が開位置にあるとき、インナフレーム１２３の取出口１２３ａは開放され、これにより、シガレットボックス１２１が開かれた開状態となる。シガレットボックス１２１が開状態にあるとき、ユーザは取出口１２３ａを通じてインナパックＩＰから喫煙物品を取り出し、取り出した喫煙物品を喫煙することができる。
【００８１】
リッド１２５が開閉される過程では、インナ側磁極群１４３及びアウタ側磁極群１５５は、リッド１２５がヒンジ１２４回りに回動することで、交差した位置関係となり、インナフレーム１２３に対してリッド１２５の開度が大きくなり、インナフレーム１２３の側壁１４２とリッド１２５の側壁１５４との間の重なり度合いが減少するのに伴って、インナ側磁極群１４３とアウタ側磁極群１５５との重なり度合いもまた減少する。そして、インナ側磁極群１４３とアウタ側磁極群１５５とが重なり合う領域では、異なる極性の磁極同士が重なり合って引力を生じる部分と、同一極性の磁極同士が重なり合って斥力を生じる部分とを有する。これにより、インナ側磁極群１４３とアウタ側磁極群１５５との間の引力は斥力により相殺されて、リッド１２５がインナフレーム１２３に対して閉位置と開位置との間の過渡位置にあるときには、閉鎖引力よりも弱い過渡引力となる。
【００８２】
図１２に示されたシガレットボックス１２１の開状態から、ユーザにより押し込まれてリッド１２５が開位置から閉位置への移行中、完全に閉位置になるまでは、前述の弱い過渡引力のままである。そして、閉位置となってインナ側磁極群１４３及びアウタ側磁極群１５５の全体が一致すると急激に閉鎖引力が生じ、シガレットボックス１２１の閉状態が保持される。
【００８３】
このようにして第４実施例に係るシガレットボックス１２１においては、リッド１２５の全閉時においては閉鎖引力により閉状態を十分に維持できる。一方で、リッド１２５を少しでも開けば、インナ側磁極群１４３及びアウタ側磁極群１５５との間の引力は閉鎖引力より大きく低減された過渡引力となることから、円滑にリッド１２５の開閉を行うことができ、容易にシガレットボックス１２１の開閉を行うことができる。
【００８４】
本発明は上記実施例に制約されるものではなく、種々の変形が可能である。例えば、図１３を参照すると、上記実施例と異なる磁極群の形状をなした第１変形例が示されている。
【００８５】
図１４に示す第１変形例のシガレットボックス１６１は、アウタ側磁極群１６２及びインナ側磁極群１６３を除き、第１実施例のシガレットボックス１と同じであり、第１実施例のシガレット１と同じ要素については同じ符号を付し説明を省略する。
【００８６】
この第１変形例においては、アウタ側磁極群１６２及びインナ側磁極群１６３が円形状をなしている点で第１実施例と異なっている。
【００８７】
詳しくは、アウタケース２の前壁１０（固定壁、外側壁）の外面に４つのアウタ側磁極群１６２が設けられている。各アウタ側磁極群１６２は、前壁１０の側壁１５側の領域にて、長手方向に４つ並んで配置されている。各アウタ側磁極群１６２は、Ｓ極１６２ａ及びＮ極１６２ｂが同心円状に交互に並ぶ配列パターンを有する。この第１変形例の場合、アウタ側磁極群１６２の配列パターンは、中心円をＳ極１６２ａとし、４つの同心円を有する。
【００８８】
また、インナケース３の前壁２０（可動壁、内側壁）の内面に、４つのインナ側磁極群１６３が設けられている。各インナ側磁極群１６３は、前壁２０の側壁１５側の領域にて、長手方向に４つ並んで配置されている。各インナ側磁極群１６３は、Ｓ極１６３ａ及びＮ極１６３ｂが同心円状に交互に並ぶ配列パターンを有する。この配列パターンのＳ極１６３ａ及びＮ極１６３ｂは、アウタ側磁極群１６２のＳ極１６２ａ及びＮ極１６２ｂの並びに対し逆転した配値となる。そして、この第１変形例の場合、インナ側磁極群１６３の配列パターンは、中心円をＮ極１６３ｂとし、４つの同心円を有する。
【００８９】
この第１変形例のシガレットボックス１６１においても、第１実施例と同様に、インナケース３がアウタケース２に対し閉位置にあるときには、アウタ側磁極群１６２とインナ側磁極群１６３との間でインナケース３を閉位置に保持する閉鎖引力を発生させる。そして、インナケース３が閉位置と開位置との間の過渡位置にあるときには、インナケース３の前壁２０とアウタケースの前壁１０との重なり度合いに応じて、アウタ側磁極群１６２とインナ側磁極群１６３とが重なる領域内で、同一極性の磁極同士が部分的に重なり、閉鎖引力よりも弱い過渡引力を発生させる。これにより、上記第１実施例と同様の効果を奏することができる。
【００９０】
以上のように磁極群の形状や数は特に限定されるものではない。例えば、他の形状としてＳ極及びＮ極を波形状のストリップとしてもよい。また、例えば第１実施例のようにアウタケースに対してインナケースがセルフヒンジを中心に回動するシガレットボックスの場合、各磁極群の配列パターンを、S極及びN極が前壁の幅方向に延びたストリップとし、このストリップが前壁の長手方向に沿って並んだものとしてもよい。更に、磁極群のS極及びN極は必ずしも接している必要はなく、第２実施例のように磁極群のN極及びS極との間に隙間を有していてもよい。
【００９１】
また磁極群の配置も上記実施例及び変形例の配置に限られるものではない。例えば、第１変形例における円形状の磁極群を壁にランダムに配置してもよい。また、上記実施例及び変形例では、アウタケース及びインナケースそれぞれの前壁、インナフレーム及びリッドそれぞれの一側壁というように、磁極群が設けられる固定壁及び可動壁が一つであるが、固定壁及び可動壁の位置や数はこれに限られない。例えば、第１実施例のアウタケース及びインナケースの前壁だけでなく、各ケースの背壁にも磁極群を設けてもよい。
【００９２】
また、上記実施例及び変形例のようにシガレットボックスに閉鎖引力を発生させる磁極群に加えて、シガレットボックスの開状態を保持するストッパとしての磁極群を設けてもよい。例えば図１４には第２実施例のシガレットボックス６１にストッパとしての第２の磁極群を追加した第２変形例のシガレットボックス１６１の前面図が示されている。なお、図１４において第２実施例と同じ要素については同じ符号を付し説明を省略する。
【００９３】
この第２変形例のシガレットボックス１７１では、アウタケース６２の前壁７０の内面に、第２のアウタ側磁極群１７２が設けられている。詳しくは、第２のアウタ側磁極群１７２は、前壁７０の引出口７４側の領域であって長手方向中央部に設けられている。第２のアウタ側磁極群１７２は円形状をなし、Ｓ極１７２ａ及びＮ極１７２ｂが同心円状に並ぶ配列パターンを有する。この第２変形例の場合、第２のアウタ側磁極群１７２の配列パターンは、中心円をＳ極１７２ａとし、２つの同心円を有する。
【００９４】
一方、インナケース６３の前壁８０の外面に第２のインナ側磁極群１７３が設けられている。詳しくは、第２のインナ側磁極群１７３は、前壁８０のインナ側壁８４側の領域であって長手方向中央部に設けられている。第２のインナ側磁極群１７３も円形状をなし、Ｓ極１７３ａ及びＮ極１７３ｂが同心円状に配置された配列パターンを有する。この配列パターンのＳ極１７３ａ及びＮ極１７３ｂは、第２のアウタ側磁極群１７２のＳ極１７２ａ及びＮ極１７２ｂの並びに対して逆転した配置となる。この第２のアウタ側磁極群１７３の配列パターンは、中心円をＮ極１７３ｂとし、２つの同心円を有する。
【００９５】
この第２変形例のシガレットボックス１７１は、インナケース６３が全開まで引き出されると、第２のアウタ側磁極群１７２と第２のインナ側磁極群１７３の外形が一致するように完全に重なり合う。これにより、第２のアウタ側磁極群１７２と第２のインナ側磁極群１７３との間でシガレットボックス１７１の開状態を保持する保持引力が生じる。一方、そこから少しでもインナケース６３を押し込めば保持引力は急激に弱くなり、円滑にインナケース６３を押し込むことができる。
【符号の説明】
【００９６】
１，６１，９１，１２１，１６１，１７１  シガレットボックス
２，６２，９２  アウタケース
３，６３，９３  インナケース
１０，７０，１００  前壁（固定壁、外側壁）
１５，７５，１０５  側壁
１９，７８，１０８，１６２  アウタ側磁極群（固定側磁極群）
２０，８０，１１０  前壁（可動壁、内側壁）
２３，８３，１１３  アウタ側壁
２４，８４，１１４  インナ側壁
２５，８５，１１５  取出口（開口部）
２６，８６，１１６，１６３  インナ側磁極群（可動側磁極群）
１２２  箱本体
１２３  インナフレーム
１２３ａ  取出口
１２５  リッド
１４２  側壁（固定壁）
１４３  インナ側磁極群（固定側磁極群）
１５４  側壁（可動壁）
１５５  アウタ側磁極群（可動側磁極群）
１７２  第２のアウタ側磁極群（ストッパ）
１７３  第２のインナ側磁極群（ストッパ）
【図１】
2016103380.tif 000003
【図２】
2016103380.tif 000004
【図３】
2016103380.tif 000005
【図４】
2016103380.tif 000006
【図５】
2016103380.tif 000007
【図６】
2016103380.tif 000008
【図７】
2016103380.tif 000009
【図８】
2016103380.tif 000010
【図９】
2016103380.tif 000011
【図１０】
2016103380.tif 000012
【図１１】
2016103380.tif 000013
【図１２】
2016103380.tif 000014
【図１３】
2016103380.tif 000015
【図１４】
2016103380.tif 000016
【国際調査報告】
2016103380.tif 000017
2016103380.tif 000018
2016103380.tif 000019
2016103380.tif 000020